(57)【特許請求の範囲】
【請求項１】
遊技部が形成される遊技盤を取付ける前面枠と、
当該前面枠の後面に取付けられる裏機構盤と、
当該裏機構盤に形成された取付部に位置決めされる裏機構部品と、を備え、
前記裏機構部品として、電源を取り入れる電気部品が設けられたターミナル基板と、球貯留タンクの球を球排出装置に導くシュートと、電源供給装置を組み込んだ統合装置と、を有する遊技機において、
前記裏機構盤に、
前記ターミナル基板と前記統合装置とを接続する電気配線を収納可能な配線収納部を遊技機裏面側に形成し、
電気配線を収納した配線収納部を覆うように前記シュート及び前記統合装置を取付け、
前記シュート及び前記統合装置で覆われない配線収納部に収納した電気配線を覆う覆い部材を着脱自在に備え、
前記覆い部材は、前記配線収納部に嵌めて下方にスライドすると、前記覆い部材の係止突起が該配線収納部の係止受け部と係合して装着されるように形成され、
前記配線収納部に前記覆い部材が装着され、前記シュートが取付部に取付けられると、前記シュートに設けられた掛止部材が前記覆い部材に重合し、前記覆い部材のスライドが規制されると共に、前記統合装置が取付部に取付けられると、前記統合装置が前記覆い部材の延設部に重合し、前記延設部の突起片が抜けなくなることによって、前記覆い部材の取り外しが規制されることを特徴とする遊技機。
【発明の詳細な説明】
【０００１】
【発明の属する技術分野】
この発明は、遊技機に関し、詳しくは遊技機の裏面側における配線の収納に関する。
【０００２】
【従来の技術】
遊技内容の多様化、複雑化に伴い、遊技盤に配設される可変表示装置や裏機構盤に配設される排出装置の作動をマイクロコンピュータを内蔵した制御装置により制御する遊技機が普及している。
【０００３】
このような従来の遊技機においては、裏機構盤の上部にターミナル基板を設けて、ターミナル基板のコネクタに制御装置の制御回路基板に接続された電源ラインのコネクタや各種信号線のコネクタを接続していた。したがって、遊技機の裏側は多くの配線が群がって配設されている。
【０００４】
この場合、裏機構盤に配線を取付けるための配線溝を設けたものがあり、また配線が露出しないように、配線溝を裏機構盤の表側（取付面側）に設けて配線を収納するようにしたものがある。
【０００５】
また、配線の組付け作業性を良くするために、裏機構盤の裏側（遊技機裏側）に配線溝を設け、配線溝に配線を収納してから配線押え部材を掛止して覆うようにしたものがある（特開平７ー２３６７５２号公報等）。
【０００６】
【発明が解決しようとする課題】
しかしながら、最近、遊技機の電気制御に関連して、遊技機に対し不正な電気部品を装着して、不正行為を行う不正者が問題視されている。
【０００７】
このような不正者が不正な部品取付けを行うのは、遊技店が閉店した後に遊技店に侵入して行うばかりでなく、中には遊技店の営業時間中にも店員監視の隙を狙って遊技機に不正部品を取付けたりするのである。
【０００８】
したがって、ターミナル基板等への配線は、単純に組付け作業を容易にするだけでは、不正者に対して不正部品の取付けを容易にすることにつながりかねず、そのため配線の組付けや取り外しの作業を容易にしながらも、不正行為をしにくくする必要を生じている。
【０００９】
この発明は、裏機構盤に配設する裏機構部品を利用して、このような問題点を解決することを目的としている。
【００１０】
【課題を解決するための手段】
第１の発明は、遊技部が形成される遊技盤を取付ける前面枠と、当該前面枠の後面に取付けられる裏機構盤と、当該裏機構盤に形成された取付部に位置決めされる裏機構部品と、を備え、前記裏機構部品として、電源を取り入れる電気部品が設けられたターミナル基板と、球貯留タンクの球を球排出装置に導くシュートと、電源供給装置を組み込んだ統合装置と、を有する遊技機において、前記裏機構盤に、前記ターミナル基板と前記統合装置とを接続する電気配線を収納可能な配線収納部を遊技機裏面側に形成し、電気配線を収納した配線収納部を覆うように前記シュート及び前記統合装置を取付け、前記シュート及び前記統合装置で覆われない配線収納部に収納した電気配線を覆う覆い部材を着脱自在に備え、前記覆い部材は、前記配線収納部に嵌めて下方にスライドすると、前記覆い部材の係止突起が該配線収納部の係止受け部と係合して装着されるように形成され、前記配線収納部に前記覆い部材が装着され、前記シュートが取付部に取付けられると、前記シュートに設けられた掛止部材が前記覆い部材に重合し、前記覆い部材のスライドが規制されると共に、前記統合装置が取付部に取付けられると、前記統合装置が前記覆い部材の延設部に重合し、前記延設部の突起片が抜けなくなることによって、前記覆い部材の取り外しが規制される。
【００１５】
【発明の実施の形態】
以下、本発明の実施の形態を図面に基づいて説明する。
【００１６】
図１に示すように、１は遊技機（パチンコ遊技機）、２はフレーム３（図２）内に遊技盤４を取付ける基枠（前面枠とも呼ぶ）、５は遊技盤４の前面を覆うカバーガラス、６は基枠２を支持する機枠である。
【００１７】
カバーガラス５はガラス枠７を介して基枠２に開閉可能に取付けられ、基枠２は機枠６にヒンジを介して開閉可能に組付けられる。
【００１８】
遊技盤４の表面には、ガイドレール８で囲われた遊技部のほぼ中央に遊技画像等を表示する可変表示装置９が配設される。可変表示装置９の表示ユニットは遊技盤４の裏面側に取付けられる。
【００１９】
遊技部の可変表示装置９の下方には変動入賞装置１０が、変動入賞装置１０の直上方には入賞球を検出する始動スイッチが設けられた始動口１１が配設される。始動口１１に遊技球が入賞すると、その入賞に基づき可変表示装置９の画像遊技（複数の識別情報の可変表示等）が行われ、この画像遊技の結果、大当たり遊技が発生すると、変動入賞装置１０が所定期間、球を受け入れない閉状態（遊技者に不利な状態）から球を受け入れやすい開状態（遊技者に有利な状態）に変換される。変動入賞装置１０の駆動部は遊技盤４の裏面側に配置される。
【００２０】
遊技部には変動入賞装置１０、始動口１１の外、幾つかの一般入賞口１２，１３が配設され、遊技盤４の裏面にはこれらに入賞した入賞球を案内する入賞球集合カバーが取付けられる。１４は装飾用のランプ等を示す。
【００２１】
遊技盤４の裏面の入賞球集合カバーの片側後方には、遊技盤４の可変表示装置９および変動入賞装置１０等を制御する役物制御装置１５（図２）が取付けられる。
【００２２】
基枠２の下部の開閉パネル１６には遊技球を打球発射装置に供給する上皿１７が配設され、固定パネル１８には下皿２０、打球発射装置の操作部２１等が配設される。なお、２２はカード式の球貸機である。
【００２３】
図２は遊技機の裏側を示すもので、球貯留タンク２３、球貯留タンク２３の球を導くシュート２４、シュート２４が導く球を排出する球排出装置２５、入賞球を処理する入賞球処理装置（セーフユニット）２６、その球排出装置２５、入賞球処理装置２６を制御する排出制御装置および打球発射装置２７を制御する発射制御装置およびこれらの電源供給装置を組み込んだ統合装置２８、外部から電源を取り入れると共に各種信号線を接続するターミナル基板３０、カード式の球貸機２２との配線を接続するためのＣＲユニット接続コネクタ３１等が、基枠２のフレーム３後面に取付けられる裏機構盤３２に取付けられる。
【００２４】
裏機構盤３２は、透明の樹脂等からなり、基枠２のフレーム３にヒンジにより開閉自由に支持され、ワンタッチ式の止め具３３により固定される。
【００２５】
裏機構盤３２には、図３のように盤３２の裏側（遊技機の裏面側）に、球貯留タンク２３の取付部３４、シュート２４の取付部３５、球排出装置２５の取付部３６、入賞球処理装置２６の取付部３７、統合装置２８の取付部３８、ターミナル基板３０の取付部４０、および球排出装置２５につながる排出樋４１（基枠２の前面の上皿１７、下皿２０に通じる）等が形成され、遊技盤４の裏面の入賞球集合カバーからの入賞球を入賞球処理装置２６に送る入賞案内樋４２、アウト球の回収樋４３、球貯留タンク２３等の球抜き樋４４等が、盤３２の表側（基枠２のフレーム３側）に形成され、遊技盤４の裏面側に設けられる入賞球集合カバー、役物制御装置１５等に対応する開口窓部４５が設けられる。
【００２６】
球貯留タンク２３、シュート２４、球排出装置２５、入賞球処理装置２６、統合装置２８等の裏機構部品は、それぞれ位置決め機構により該当する取付部に位置決めされ、そのうち球貯留タンク２３、シュート２４等の球送出機構、統合装置２８等の電気装置はワンタッチ式の止め具４６，４７を介して、球排出装置２５、入賞球処理装置２６等の電気装置はワンタッチ式の止め具あるいはビス等を介して該当する取付部に取付けられる。
【００２７】
なお、開口窓部４５には、遊技盤４の裏面の可変表示装置９、入賞球集合カバー、および役物制御装置１５の配線端子部分を覆う裏面カバー４８が取付けられる。
【００２８】
そして、この裏機構盤３２に、ターミナル基板３０の取付部４０から、シュート２４の取付部３５、開口窓部４５の周縁部５０、統合装置２８の取付部３８等を通り、ターミナル基板３０と統合装置２８とを接続する電気配線５１およびその他の電気配線５２（例えば、統合装置２８と役物制御装置１５とを接続する電気配線等）を収納可能な配線収納部５３〜５５が形成される。
【００２９】
配線収納部５３は、シュート２４の取付部３５の領域に遊技機の裏面側を開口する溝状の通路を設けて形成される。このシュート２４の取付部３５は開口窓部４５の周縁部５０の部分まで形成され、配線収納部５３の回りを囲う壁部５９によりシュート２４の取付座が兼ねられる。
【００３０】
配線収納部５４は、開口窓部４５の周縁部５０に遊技機の裏面側を開口する溝状の通路を設けて形成される。この配線収納部５４に、収納した電気配線を遊技機の裏面側から覆う覆い部材５６が装着される。
【００３１】
この場合、図３〜図７のように配線収納部５４の所定の位置に、底壁５７から両側壁５８に配線誘導用のリブ６０が形成されると共に、配線誘導用のリブ６０近傍の所定の位置の底壁５７に覆い部材５６の係止突起６２と係合する係止受部６１が突設される。
【００３２】
覆い部材５６は、透明の樹脂等からなり、図４〜図９のように配線収納部５４を覆う覆い壁６３の両側に配線収納部５４に嵌まる側壁６４が形成され、覆い壁６３の表面に両側壁６４にかけて補強用のリブ６５が、両側壁６４の上端にフランジ部６６が形成される。両側壁６４の下端には、配線収納部５４の配線誘導用のリブ６０に対応する所定の位置に切欠部６７が形成され、配線収納部５４の底壁５７の係止受部６１に対応する所定の位置に係止突起６２が形成される。
【００３３】
遊技機の上部側となる覆い部材５６の上端側の一方の側壁６４には配線の開口６８が設けられ、また覆い部材５６の上端側の両側壁６４のフランジ部６６は補強用のリブ６５の位置まで切り欠かれる。遊技機の下部側となる覆い部材５６の下端側は、両側壁６４および覆い壁６３が配線収納部５４の形状に合わせた長さに形成されると共に、統合装置２８に当たらないように両側壁６４の上部が斜めに切り欠かれ、また統合装置２８の止め具部分の逃げ７０が覆い壁６３に設けられると共に、覆い壁６３が統合装置２８の取付部３８の領域まで延設され、その先端に配線収納部５５の壁部７３に掛けられる突起片７１が設けられる。
【００３４】
配線収納部５４の配線誘導用のリブ６０の位置に覆い部材５６の両側壁６４の切欠部６７を合わせ、覆い部材５６の下端側の覆い壁６３の突起片７１を配線収納部５５の壁部７３に掛け、配線収納部５４に覆い部材５６を嵌めて下方（遊技機下部側）にスライドすると、覆い部材５６の両側壁６４の係止突起６２が配線収納部５４の底壁５７の係止受部６１と係合し、覆い部材５６の両側壁６４の切欠部６７端が配線収納部５４の配線誘導用のリブ６０に、覆い部材５６の最下端部等が裏機構盤３２の止め具部分の壁７２等に当接して、覆い部材５６が支持され装着される。この装着時の断面状態は図５、図７に示す。
【００３５】
配線収納部５５は、図１０のように統合装置２８の取付部３８の一部の領域に遊技機の裏面側を開口する溝状の通路を設けて形成される。この場合、配線収納部５５は裏機構盤３２の下端まで形成される。配線収納部５５の裏機構盤３２の外方になる壁部７４は裏機構盤３２の止め具部分の壁７２より延設され、その壁部７４，７２および壁部７３により統合装置２８の取付座が兼ねられる。
【００３６】
一方、前記シュート２４側および統合装置２８側に、配線収納部５４に装着された覆い部材５６の取り外しを規制する取り外し規制機構が設けられる。
【００３７】
シュート２４側の取り外し規制機構は、図１１、図１２のようにシュート２４の補強部７５の一端および取付フランジ部７６からストッパ片７７と重合片７８とを備える掛止部材８０が突設される。掛止部材８０は、配線収納部５４に覆い部材５６が装着され、シュート２４が取付部３５に取付けられると、ストッパ片７７が覆い部材５６の上端部に当接され、重合片７８が覆い部材５６の上端側の遊技機裏面側となる両側壁６４の上端部分および両側壁６４の間の覆い壁６３の上方に重ね合わされる。この場合、重合片７８にはその両側壁６４のフランジ部６６の切り欠きに合わせて段部が形成される。
【００３８】
なお、配線収納部５４に覆い部材５６を装着し、シュート２４を取付部３５に取付けた状態を図１３、図１４に示す。
【００３９】
統合装置２８側の取り外し規制機構は、配線収納部５４に覆い部材５６が装着され、統合装置２８が取付部３８に取付けられると、その統合装置２８の取付部３８の領域まで延設されて配線収納部５５の壁部７３に突起片７１が掛けられた覆い部材５６の下端側の覆い壁６３の延設部に、統合装置２８が重ね合わされることで形成される。
【００４０】
なお、この覆い壁６３の延設部の突起片７１の上方（遊技機上部側）へのスライドは配線収納部５４の壁部７３につながる統合装置２８の取付部３８により規制される。
【００４１】
このような構成により、ターミナル基板３０と統合装置２８とを接続する電気配線５１およびその他の電気配線５２を組付ける場合、電気配線５１は裏機構盤３２のシュート２４の取付部３５の領域に形成された配線収納部５３から、開口窓部４５の周縁部５０に形成された配線収納部５４および統合装置２８の取付部３８の一部の領域に形成された配線収納部５５を通して配設され、またその他の電気配線５２は該当する配線収納部５３〜５５を通して配設される。
【００４２】
この状態で、配線収納部５４に覆い部材５６を嵌めて下方にスライドさせ、覆い部材５６の両側壁６４の係止突起６２を配線収納部５４の底壁５７の係止受部６１に係合させて、装着する。
【００４３】
次に、裏機構部品の球貯留タンク２３、シュート２４、球排出装置２５、入賞球処理装置２６、統合装置２８、ターミナル基板３０等が、それぞれ該当する取付部３４〜４０に取付けられる。
【００４４】
このシュート２４を取付けると、シュート２４に設けた掛止部材８０が配線収納部５４に装着された覆い部材５６の上端側に当接、重合することによって、覆い部材５６のスライドが規制され、覆い部材５６を取り外せなくなる。
【００４５】
また、統合装置２８を取付けると、統合装置２８が覆い部材５６の下端側の覆い壁６３の延設部に重合して、配線収納部５５の壁部７３に掛かる延設部の突起片７１が抜けなくなることによって、覆い部材５６を取り外せなくなる。
【００４６】
なお、覆い壁６３の延設部の突起片７１は、配線収納部５４の壁部７３に掛けずに、壁部７３の内側に位置するように形成しても良い。この場合も、統合装置２８を取付ければ、覆い壁６３の延設部の突起片７１が統合装置２８の取付部３８等により抜けなくなることによって、覆い部材５６を取り外せなくなる。
【００４７】
この一方、シュート２４の取付けによって、シュート２４の取付部３５の領域の配線収納部５３が覆われ、配線収納部５３内の配線が密閉的に囲われると共に、統合装置２８の取付けによって、統合装置２８の取付部３８の領域の配線収納部５５が覆われ、配線収納部５５内の配線が密閉的に囲われる。
【００４８】
そして、各裏機構部品の取付後、各配線端のコネクタを該当する電気装置のコネクタに接続する。
【００４９】
即ち、配線収納部５３〜５５に配設された電気配線５１，５２は、シュート２４、覆い部材５６、統合装置２８によって覆われ、密閉的に囲われるのであり、またその覆い部材５６はシュート２４、統合装置２８を取り外さなければ、外せないのである。
【００５０】
このため、このような電気配線に不正者が不正な電気部品（いわゆるぶら下がり基板と称するものを含む）を取付けようとしても、電気配線を配線収納部５３〜５５から簡単には取り出せず、したがって遊技店の営業時間中に店員監視の隙を狙って不正な電気部品を取付けることは困難になり、不正に対する高い防止機能を得ることができる。特に、営業時間中はシュート２４に球が入っているので、球を取り除かないと、シュート２４は取り外せない。
【００５１】
また、シュート２４、統合装置２８に覆われない部分の電気配線を覆う覆い部材５６を透明部材により形成するので、電気配線が切断している場合あるいは電気配線に不正が加えられている場合等、これらを覆い部材５６の上から視認でき、異常を容易に発見できる。
【００５２】
この一方、配線収納部５３〜５５は遊技機の裏面側を開口しているので、配線を行う場合に配線作業を容易に行える。
【００５３】
また、シュート２４、統合装置２８等は、ワンタッチ式の止め具４７等を介して取付部３５，３８に着脱自由に取付けるようになっているため、取付けを容易に行えると共に、保守点検時等にシュート２４、統合装置２８を取り外して、覆い部材５６を簡単に外すことができ、配線状態および不正部品の有無等の確認作業を行いやすい。
【００５４】
また、覆い部材５６は配線収納部５４部分の電気配線を覆い、その他の部分はシュート２４、統合装置２８等の裏機構部品が覆うので、組付け作業の手間およびコストを低減できる。
【００５５】
このように、電気配線５１，５２の組付け作業を容易にしつつ、不正防止を図ることができるのである。
【００５６】
なお、電気配線は密閉的に覆われるので、遊技盤４の装着や取り外し等の場合、配線が邪魔になることはなく、配線が引っ掛かったり、切断することがない。
【００５７】
【発明の効果】
以上のように第１の発明によれば、裏機構部品を取り外さないと、電気配線を覆う覆い部材を外せないので、電気配線の不正に対する高い防止機能を確保できる。
【００５８】
また、組付け作業およびコストの低減を図れる。
【００６０】
また、覆い部材の取り外しの規制が容易である。
【図面の簡単な説明】
【図１】遊技機の正面図である。
【図２】遊技機の裏面図である。
【図３】裏機構盤の裏面図である。
【図４】図２のＡ−Ａ線に沿う断面における分解図である。
【図５】図２のＡ−Ａ線に沿う断面図である。
【図６】図２のＢ−Ｂ線に沿う断面における分解図である。
【図７】図２のＢ−Ｂ線に沿う断面図である。
【図８】覆い部材の正面図である。
【図９】覆い部材の側面図である。
【図１０】配線収納部分、統合装置の取付部分の斜視図である。
【図１１】覆い部材、シュート部分の組付前図である。
【図１２】配線収納部分、シュート部分の組付前の斜視図である。
【図１３】覆い部材、シュート部分の組付後図である。
【図１４】配線収納部分、シュート部分の組付後の斜視図である。
【符号の説明】
１  遊技機
２  基枠
４  遊技盤
９  可変表示装置
１０  変動入賞装置
１１  始動口
１５  役物制御装置
２２  カード式の球貸機
２３  球貯留タンク
２４  シュート
２５  球排出装置
２６  入賞球処理装置
２７  打球発射装置
２８  統合装置
３０  ターミナル基板
３１  ＣＲユニット接続コネクタ
３２  裏機構盤
３３  止め具
３４〜３８，４０  取付部
４５  開口窓部
４６，４７  止め具
４８  裏面カバー
５０  周縁部
５１，５２  電気配線
５３〜５５  配線収納部
５６  覆い部材
５８  側壁
５９  壁部
６０  配線誘導用のリブ
６１  係止受部
６２  係止突起
６３  覆い壁
６４  側壁
６５  補強用のリブ
６６  フランジ部
６７  切欠部
６８  開口
７０  逃げ
７１  突起片
７２  壁
７３，７４  壁部
７５  補強部
７６  取付フランジ部
７７  ストッパ片
７８  重合片
８０  掛止部材
【図１】
0004060417.tif 000002
【図２】
0004060417.tif 000003
【図３】
0004060417.tif 000004
【図４】
0004060417.tif 000005
【図５】
0004060417.tif 000006
【図６】
0004060417.tif 000007
【図７】
0004060417.tif 000008
【図８】
0004060417.tif 000009
【図９】
0004060417.tif 000010
【図１０】
0004060417.tif 000011
【図１１】
0004060417.tif 000012
【図１２】
0004060417.tif 000013
【図１３】
0004060417.tif 000014
【図１４】
0004060417.tif 000015